(57)【要約】【課題】１０個の方向キーがコンピュータ標準キーボード上のすべての機能を具える感圧式キーボードとキーボード配列を提供する。【解決手段】感圧式情報処理システムが使用するキーボード及びその配列で、１０個の方向キーは１０本の指に対応し、施力により入力し、指の位置を変える必要はない。各方向キーは９種の機能を具え、感圧センサーを具え、指の施力の方向を感知することができる。該力の方向を水平面上の８個の方向及び下向きの方向に分類し、これら特定の機能を選択する。【選択図】図４
2004038829.tif 000002
【特許請求の範囲】
【請求項１】
コンピュータ等の入力手段であって、
コンピュータ等と接続した複数個の方向キーを具え、
該各方向キーは感圧センサーを具えて指の該方向キーに対する施力の方向を感知して該施力の方向を分類し、その方向のタイプを判断してそれに応じた特定の機能を選択することにより、特定の文字、数字、符号等を該コンピュータ等に入力することを特徴とするコンピュータなどに対する感圧式キーボード若しくはキー入力手段。
【請求項２】
コンピュータ等の入力手段であって、
コンピュータ等と接続した複数個の方向キーを具え、
該各方向キーは感圧センサー及び方向分類ユニットを具えて指の該方向キーに対する施力の方向を感知して該施力の方向を分類し、一個のキーを多機能に区分することを特徴とする請求項１記載のコンピュータなどに対する感圧式キーボード若しくはキー入力手段。
【請求項３】
前記キーボードの方向キーが含む方向分類ユニットはコンピュータプログラムで、力の方向を方向の範囲に応じて水平面上の８方向或いは下向きの方向に分類し、類別した力がある臨界値を超えた時、出力することを特徴とする請求項２記載の感圧式キーボード若しくはキー入力手段。
【請求項４】
コンピュータ等の入力手段であって、
そのキー配列は１０個の方向キーを含み、それぞれは１０本の指の反応機能に対応し、手を置き、力を入れられるよう設置することを特徴とする請求項１乃至３記載の感圧式キーボード若しくはキー入力手段。
【請求項５】
前記キーボード配列が使用する各方向キーはそれぞれ一列に３個、３列で、合計９個の機能に区分されることを特徴とする請求項４記載の感圧式キーボード若しくはキー入力手段。
【請求項６】
前記各方向キーはそれぞれ一列に３個、３列で、合計９個の機能に区分され、公知の標準キーボード上でのタイプ時に、指を上方に移動させるものは最前横列を押し、指を移動させないものは中央列を押し、指を後方へ移動させるものは後方の横列を押すことを特徴とする請求項５記載の感圧式キーボード若しくはキー入力手段。
【発明の詳細な説明】
【０００１】
【発明の属する技術分野】
本発明は一種の感圧式キーボードとキーボード配列に関する。特に一種のコンピュータのデータ処理システム中の入力構造部分で、１０個の方向キーがコンピュータ標準キーボード上のすべての機能を具える感圧式キーボードとキーボード配列に係る。
【０００２】
【従来の技術】
公知のキーボードの多くは固定構造である。しかも、各キー間の位置も固定されており、指は必要とするキーに基づき、常にその位置を変えなければならず、指の位置を間違えれば入力を間違ってしまう。
完璧な機能を具え、使用の利便性が高い公知の標準配列キーボード（ＱＷＥＲＴＹ）は、かなり大きな固定空間を占め、小型のデータ処理システムには適さない。そのため、キーボードはシステムの大きさに応じて配置を変える必要があり、使用が不便となり、或いは使用可能な機能が限られてしまう。
コンピュータ、ノートＰＣ、ＰＤＡ、携帯電話端末のそれぞれにおいて、キーボードに対する設計コンセプトは異なり、配置も違うため、使用者はその配置に応じて操作する必要があり、不便で効率が悪い。
【０００３】
これに対して、多機能キーボード（一個のキーが多種項目の入力を行うことが可能）は、キーボード全体で必要とするキーの数を減らし、キーボードのサイズを小さくすることができる。多機能キーの運用は、多方向キーの構造とキーボード配列により成り、多方向キーはプッシュ式のものと傾斜角式のものがある。
公知の多方向キーボードのキーは７個の機能を持ち、公知の標準キーボードのあらゆる機能をわずか１９個のキー上に配置する。しかし、該構造では操作者の指は操作過程においてキーを捜す必要があり、一本の指でキーの目標を制御するにはかなりの距離を超えなくてはならない。
【０００４】
【発明が解決しようとする課題】
上記公知構造の欠点を解決するため、本発明は感圧式キーボードとキーボード配列の提供を課題とする。
それは、一本の指は一個のキーにだけ対応するキーとキーボードの構造で、キーボードの構成は公知の標準キーボードと同様で、操作者の指はキーを離れる必要はなく、便利で正確、かつ迅速に入力が可能である。
さらにそれは、公知のキーボードの体積が大き過ぎ、またすべての操作者の操作姿勢に適合することができないためにおきる入力ミスを解決することができる。
【０００５】
【課題を解決するための手段】
上記課題を解決するため、本発明は下記の感圧式キーボードとキーボード配列を提供する。
主に１０個の方向キーに１０本の指が対応し入力を行う。１０本の指はその対応するキーと常時接触状態を保持する。指は対応するキーに一定方向の施力を行うだけで、入力しようとする項目をコンピュータ中に入力することができる。各方向キーは各列３個３行の入力機能を有し、３軸の感圧センサーを具え、指の施力方向を感知する。その感知された力の方向はコンピュータに伝送され、コンピュータプログラムの方向分類ユニットは水平の８方向、或いは下向きの方向に分類し、これに基づきコンピュータは特定の機能を選択し入力する。
【０００６】
【発明の実施の形態】
図１が示すように、本発明は主にコンピュータ２、使用者と該コンピュータ２間に介在する一組のキーボード１により構成する。
該キーボード１は１０個の方向キー１０、１１、１２、１３、１４、１５、１６、１７、１８、１９を具える。各方向キーは３軸の力の感圧センサーを含む。該感圧センサーは指の該方向キーに対する施力の方向を感知し、該力量の方向を該コンピュータ１に伝送する。該コンピュータ１は該方向を９タイプの受力方向中の一つに分類し、特定の機能を選択する。こうして、特定の文字や数字、符号を該コンピュータ１中に入力する。
【０００７】
次に図２が示すように、ある方向キー１７は合計９個、各列３個３行の区分機能を有する。図２の例は右手の人差し指３が使用する方向キーである。図３が示すように、その操作方式は人差し指３が感圧センサー１７に施力するとき、感知された力の方向ｆ（図２中の矢印）は、該コンピュータ１中のプログラムに伝送され、方向分類ユニットにおいて処理される。
９方向中のある一つの方向の力量がある臨界値を超えた時、方向のタイプに応じて特定機能のキーを選択する。
図３が示すように、９個の方向は水平面上の８方向と下向きの方向ｊである。水平面上の８方向は前方ｕ、後方ｍ、左前方ｙ、左方ｈ、左後方ｎ、右前方Ｆ７、右方＆、右後方７である。
【０００８】
図４が示すように、該キーボード１のキー配列は１０個の方向キー１０、１１、１２、１３、１４、１５、１６、１７、１８、１９を具え、各１０本の指に対応する。
公知の標準配列キーボード上の同一行上に配列する数個のキー機能を、該キーボード１においては方向キーの感圧センサーが力の方向の違いを感知し区分する。直進は前方と後方の二つで、図３中の座標４のＹ方向である。即ち、図２、４が示す方向キー１７中の３列にまたがる同行のＵ、Ｊ、Ｍ、或いはＹ、Ｈ、Ｎの区分である。
異なる行とそれ以外の行は、異なる方向の力として区別される。方向キー１７中のＹ、Ｈ、Ｎは公知の標準キーボードを操作する場合には、指を横方向に移動させなければならないが、本発明では内側に向けた方向力を感知し、Ｙ、Ｈ、Ｎと区別される。
内側に向かう方向力は左手の右方、右手の左方の力である。右手の人差し指以外は、左手の人差し指、右手の小指、左手の小指もまた、横移動しなければならない指であるため、必要に応じて内側向きの方向キーを設計する。公知の標準キーボード上における右手小指の右移動は一列だけでないため、内側向きの方向キーはそれぞれ右手中指キー１８、右手薬指キー１９、右手小指キー１０上に設置する。
【０００９】
公知の標準キーボードを操作する時、１０本の指は上方横方向に移動しなければならない。即ち、数字キー、符号キー、ファンクションキーは、配列上、外側に向かった方向力を感知し、正常位置のキー区分を行う。該方向キー１７中の７、＆、Ｆ７は外側に向かった方向力を感知し、Ｕ、Ｊ、Ｍと区分される。このように、左から右、即ち左手小指から右手小指まで、それぞれキー入力（１、ｌ、Ｆ１）、（２、＠、Ｆ２）．．．．（９、Ｆ９）（０、Ｆ１０）を用いるため、非常に記憶、操作が簡単である。
【００１０】
上記のように、ある方向キーは三列三行の９個の機能に区分され、それぞれ区分機能はコンピュータ公知の標準キーボードの各キー配列に対応する。該キーボード１を用いタイプする時には、標準キーボードで指を横移動する必要がないものに関しては、該方向キーの機能が区分された中央の縦方向部分に力を加える。指が横移動する必要があるものに関しては、手全体を上方へと移動させ、該方向キーの外側に力を加える。手を前方へと移動させる必要があるものに関しては、最前列において力を加える。指を移動させる必要がないものに関しては、中央行において力を加える。指を後方へと移動させる必要があるものに関しては、最後列において力を加える。
同様に、あまり使用しない文字符号キー（たとえば、Ｆ１〜Ｆ１０、ＡＬＴ．等のキー）を減らし、それを設置する方向キーの文字符号数を減らし、或いはその方向キーのキー数を減らすこともできる。
さらに本発明キーボードは１０個の分離した方向キーにより、個人の状況に合わせて非常に簡単に配置することができ、それぞれことなる指の位置に適応する。１０個の方向キーは該コンピュータ２の構造中に統合可能で、フレームを用い、各方向キーの配置を固定することもできる。或いは、手袋の指の上に設置することもでき、これにより折り畳み、収納の便を向上させることもできる。
【００１１】
【発明の効果】
上記のように本発明はキーボードの操作時、指はキーを離れることなく、わずか１０個のキーがコンピュータ標準キーボード上のすべての機能を具える。
それは、一本の指は一個のキーにだけ対応するキーとキーボードの構造で、キーボードの組成は公知の標準キーボードと同様で、操作者の指はキーを離れる必要はなく、便利で正確、かつ迅速に入力が可能である。
さらにそれは、公知のキーボードの体積が大き過ぎ、またすべての操作者の操作姿勢に適合することができないためにおきる入力ミスを解決することができる。
【図面の簡単な説明】
【図１】本発明のシステム実施図である。
【図２】本発明方向キーの機能区分実施図である。
【図３】使用者が指で力を入れる分類方向の指示図である。
【図４】本発明の標準キーボードの設置実施図である。
【符号の説明】
１　キーボード
２　コンピュータ
３　人差し指
４　座標システム
１０　方向キー
１１　方向キー
１２　方向キー
１３　方向キー
１４　方向キー
１５　方向キー
１６　方向キー
１７　方向キー
１８　方向キー
１９　方向キー
【図１】
2004038829.tif 000003
【図２】
2004038829.tif 000004
【図３】
2004038829.tif 000005
【図４】
2004038829.tif 000006